(57)【要約】【課題】インク室の剛性をアップして記録ヘッドの反りを防止すると共に隣接するインク室を作動して高画質な画像形成を行なえる。【解決手段】電源オフ時または印字待機中などにおいては、短絡スイッチＳＷ2がオンされ、圧電素子４８の両電極（５０、４６）がグラウンドされる。これにより、画像を形成しないときには圧電素子４８の剛性を確保でき、記録ヘッド長手方向の撓みを防止する。インクを吐出させる圧力室５４ａとインクを吐出しない圧力室５４ｂとが隣接する場合には、インクを吐出させる駆動電圧の駆動タイミングに伴い、隣接するインクを吐出しない圧力室５４ｂの短絡スイッチＳＷ2をオンして電極５０と共通電極４６とをグラウンドする。圧力室５４ａではノズル５６を介してインクが吐出される一方、隣接する圧力室５４ｂでは、圧力室５４ｂに対応する圧電素子４８の電極５０および共通電極４６の電位差が０に保たれ、圧電素子４８の変形が防止される。【選択図】  図８ 
2005125769.tif 000002
【特許請求の範囲】
【請求項１】
インクが充填された複数のインク室がライン状に配置され、インク室の外周部または外側に設けられた圧電素子に電圧が印加されることにより、前記インク室を伸縮させてインク室のノズルからインクを記録媒体に吐出させる画像形成装置において、
前記圧電素子はノズル面と略平行な平面に沿って配置されるとともに、
前記圧電素子の電極を短絡させる短絡手段を有することを特徴とする画像形成装置。
【請求項２】
画像を形成する際、インクを吐出しないインク室の前記圧電素子の電極を、前記短絡手段により短絡することを特徴とする請求項１に記載された画像形成装置。
【請求項３】
前記短絡手段には、短絡オン・オフ用のスイッチング素子が備えられていることを特徴とする請求項１または請求項２に記載された画像形成装置。
【請求項４】
電源オフ時、または印字待機中には、前記短絡手段は前記圧電素子の電極を常時短絡させることを特徴とする請求項１ないしは請求項３のいずれか１項に記載された画像形成装置。
【請求項５】
前記圧電素子は、隣接する複数の前記圧力室を仕切る隔壁の上方に配置された電極を備えるとともに、該電極を短絡させる短絡回路を備えたことを特徴とする請求項１ないしは請求項４のいずれか１項に記載された画像形成装置。
【請求項６】
インクが充填された複数のインク室がライン状に配置され、インク室の外周部または外側に設けられた圧電素子に電圧が印加されることにより、前記インク室を伸縮させてインク室のノズルからインクを記録媒体に吐出させるインク吐出方法において、
画像を形成する際には、インクを吐出しないインク室の前記圧電素子の電極を、短絡手段により短絡させることを特徴とするインク吐出駆動方法。
【請求項７】
インクが充填された複数のインク室がライン状に配置され、インク室の外周部または外側に設けられた圧電素子に電圧が印加されることにより、前記インク室を伸縮させてインク室のノズルからインクを記録媒体に吐出させるインク吐出方法において、
電源オフ時、または印字待機中には、前記圧電素子の電極を短絡手段により常時短絡させることを特徴とするインク吐出駆動方法。
【発明の詳細な説明】
【技術分野】
【０００１】
本発明は画像形成装置に係り、特に圧電素子によりインク室を伸縮させてインク室のノズルからインク吐出させて記録媒体上に画像形成を行う画像形成装置に関する。
【背景技術】
【０００２】
インクジェットプリンタなどの画像形成装置は、記録ヘッドと記録紙を相対的に移動させつつ記録ヘッドから当該記録紙にインクを吐出して記録紙上に画像を形成する。インク吐出手段としては、圧電素子によってインク室を変形させて、インク室に形成されたノズルからインクを吐出させる。しかし、このようなインク吐出手段は隣接するインク室のクロストークによるアクシデンタルドロップなどの問題がある。これを解決するために、隣接するインク室のインク吐出タイミングをずらして駆動するシェアモード駆動を行なう技術が知られている（特許文献１参照）。この画像形成装置は、インク室の両側面の柱に電位差を生じさせて双方の柱を同時に変形させ、これによりインク室を伸縮させてノズルからインクを吐出させる。インクを吐出すべきでないインク室には、該インク室の柱の両電極の電位差を０としてインク室の変形を防止し、インクを吐出すべきでないインク室からのアクシデンタルドロップを防止する。
【特許文献１】特開平７−７６０８４号公報
【発明の開示】
【発明が解決しようとする課題】
【０００３】
しかし、このような画像形成装置では、上述したシェアモード駆動によって隣接するノズルから同時にインクを吐出させることができず画質の向上が望めない欠点があった。また、伸縮するインク室と隣接するインク室の柱の変形は防止するが、長尺のライン型ヘッドの反り防止については効果がなかった。
【０００４】
本発明はこのような事情に鑑みてなされたもので、長尺なライン型ヘッドの反り防止を図るとともに、高画質な画像が記録できる画像形成装置を提供することを目的とする。
【課題を解決するための手段】
【０００５】
本発明は前記目的を達成するために、インクが充填された複数のインク室がライン状に配置され、インク室の外周部または外側に設けられた圧電素子に電圧が印加されることにより、前記インク室を伸縮させてインク室のノズルからインクを記録媒体に吐出させる画像形成装置において、前記圧電素子はノズル面と略平行な平面に沿って配置されるとともに、前記圧電素子の電極を短絡させる短絡手段を有することを特徴としている。
【０００６】
本発明によれば、圧電素子はノズル面と略平行な平面に沿って配置され、インク室ごとに短絡手段を備えている。本発明において、インクを吐出すべきでないノズルのインク室の圧電素子の電極を短絡させて同電位とすれば、このインク室における圧電素子の変形を防止できるので、クロストークを防止できる。また、圧電素子の電極を短絡させて圧電素子本来の剛性を確保できるので、長尺のライン型ヘッドの長手方向の撓みを防止できる。さらに、吐出すべきノズルのインク室に隣接するインク室のノズルからもインクを吐出させることが可能で画質を向上できる。
【０００７】
請求項２に記載された本発明によれば、画像を形成する際、インクを吐出しないインク室の圧電素子の電極を、短絡手段により短絡するので、インクを吐出しないインク室へのクロストークを防止できる。
【０００８】
請求項３に記載された本発明によれば、この短絡手段には、短絡オン・オフ用のスイッチング素子が備えられている。
【０００９】
請求項４に記載された本発明によれば、電源オフ時、または印字待機中には、前記短絡手段は圧電素子の電極を短絡させるので、画像を形成しないときには圧電素子の剛性を確保できる。さらに、起電力による圧電素子の変形にともなう画像形成装置の長手方向の撓みを防止でき、圧電素子の両電極への電位差の発生を防止して回路負荷を軽減して回路を保護できる。
【００１０】
請求項５に記載された本発明によれば、圧電素子は、隣接する複数の前記インク室を仕切る隔壁の上方に配置された電極を備えるとともに、該電極を短絡させる短絡手段を備えている。したがって、インク室隔壁部の剛性を圧電素子によって確保できるので、ライン型記録ヘッドの長手方向の剛性を向上できる。
【００１１】
請求項６に記載された本発明は、インクが充填された複数のインク室がライン状に配置され、インク室の外周部または外側に設けられた圧電素子に電圧が印加されることにより、前記インク室を伸縮させてインク室のノズルからインクを記録媒体に吐出させるインク吐出方法において、画像を形成する際には、インクを吐出しないインク室の前記圧電素子の電極を、短絡手段により短絡させることを特徴としている。
【００１２】
請求項６に記載された本発明によれば、インク吐出駆動方法において、画像を形成する際には、インクを吐出しないインク室の前記圧電素子の電極を、短絡手段により短絡させるので、インクを吐出しないインク室へのクロストークを防止できる。
【００１３】
請求項７に記載された本発明は、インクが充填された複数のインク室がライン状に配置され、インク室の外周部または外側に設けられた圧電素子に電圧が印加されることにより、前記インク室を伸縮させてインク室のノズルからインクを記録媒体に吐出させるインク吐出方法において、電源オフ時、または印字待機中には、前記圧電素子の電極を短絡手段により常時短絡させることを特徴としている。
【００１４】
請求項７に記載された本発明によれば、インク吐出駆動方法において、電源オフ時、または印字待機中には、前記圧電素子の電極を短絡手段により常時短絡させるので、画像を形成しないときには圧電素子の剛性を確保できる。さらに、起電力による圧電素子の変形にともなう画像形成装置の長手方向の撓みを防止でき、圧電素子の両電極への電位差の発生を防止して回路負荷を軽減して回路を保護できる。
【００１５】
なお、この圧電素子は圧電横方向（ｄ３１）の変形で圧力波を付与する。したがって、圧電素子本来の剛性を確保して、記録ヘッドの長手方向の撓みを防止できる。また、ノズルは記録媒体の全幅に対応する長さにわたって複数配列されたフルライン型に配置すれば、クロストークを防止してアクシデンタルドロップの発生などを防止でき、かつ高画質なフルライン型の長尺な記録ヘッドを構成できる。
【００１６】
本明細書において「記録」とは、文字を含む広い意味で画像を形成する概念を表すものとする。また、「記録媒体」は、記録ヘッドによって画像が形成される媒体（被画像形成媒体、被記録媒体、受像媒体、記録紙など呼ばれるもの）であり、連続用紙、カット紙、シール用紙、ＯＨＰシート等の樹脂シート、フイルム、布、その他材質や形状を問わず、様々な媒体を含むものとする。
【発明の効果】
【００１７】
本発明によれば、長尺のライン型記録ヘッドの反り防止が図れるとともに、隣接するインク室を作動でき高画質な画像形成を行なえる。
【発明を実施するための最良の形態】
【００１８】
以下、添付図面に従って本発明に係る画像形成装置の実施の形態について詳説する。
【００１９】
図１において、画像形成装置１０は、記録ヘッド１２と、この記録ヘッド１２に対向して配置され、記録紙１６の平面性を保持しながら記録紙１６を搬送するベルト搬送部１８と、記録紙１６を供給する給紙部２０と、画像形成済みの記録紙を外部に排出する排紙部２２と、を備えている。
【００２０】
記録ヘッド１２は、記録紙１６の紙幅に対応する長さを有するライン型ヘッドを紙送り方向と直交方向に固定配置した、いわゆるフルライン型ヘッドで構成されている。記録紙１６の搬送方向（矢印Ａ）に沿って上流側からブラック（Ｋ）、シアン（Ｃ）、マゼンタ（Ｍ）、イエロー（Ｙ）の順に各色インクに対応した記録ヘッド１２Ｋ、１２Ｃ、１２Ｍ、１２Ｙが配置されている。これら各記録ヘッドは、図２に示すように千鳥状に配置されたインクユニット１３を有し、記録紙１６を搬送しつつインクユニット１３からそれぞれの色インクを記録紙１６に吐出することにより記録紙１６上にカラー画像などを形成する。
【００２１】
給紙部２０にはロール紙２６が着脱自在にセットされている。給紙部２０近傍には、ロール紙２６から記録紙１６を引き出す引き出しローラ２１、２１が設けられている。引き出しローラ２１、２１の少なくとも一つにはモータ（不図示）の動力が伝達され、引き出された記録紙１６は図１上の右から左へと搬送される。符号２４はローラ２１、２１間に設置された裁断用のカッターであり、このカッター２４によってロール紙２６から引き出された記録紙１６は所望のサイズにカットされる。
【００２２】
ベルト搬送部１８は、ローラ３０、３２、３４、３６間に無端状のベルト３８が巻き掛けられた構造をなし、少なくとも記録ヘッド１２に対向する部分がフラット面をなすように構成されている。このベルト３８は、記録紙１６の幅よりも広い幅寸法を有し、ベルト面にて記録紙１６を吸着できる。ベルト３８が巻かれているローラ３０、３２、３４、３６の少なくとも一つにはモータ（不図示）の動力が伝達され、ベルト３８は図１上の反時計回り方向に駆動されて、ベルト３８上に吸着された記録紙１６は図１の右から左へと搬送される。
【００２３】
符号８２は記録紙の位置および大きさなどを読み取る記録紙検出部、符号８４は記録紙１６へのインク吐出タイミング決定用の記録位置検出部、符号８８は記録紙１６の紙詰まりや次紙の供給タイミング決定用の記録紙終端検出部である。さらに、画像形成装置１０にはこれら各検出部の検出結果をもとに画像形成装置１０を統括して制御する不図示のシステムコントローラが設けられている。このシステムコントローラは中央演算処理装置（ＣＰＵ）及びその周辺回路などから構成され、たとえば記録紙１６搬送のための各モータの駆動信号や制御信号、記録ヘッド１２の画像形成信号などを生成する。
【００２４】
次に、記録ヘッド１２の構造について説明する。インク色ごとに設けられている各記録ヘッド１２Ｋ，１２Ｃ，１２Ｍ，１２Ｙの構造は共通しているので、これらを代表して符号１２によって各記録ヘッドを示すものとする。
【００２５】
図２は記録ヘッド１２の構造例を示す斜視図、図３（ａ）は平面透視図、図３（ｂ）はその一部の拡大図、図４はその一部の部分拡大図、さらに図５は図４におけるｘ−ｘ断面図である。
【００２６】
記録紙面上に形成されるドットピッチを高密度化するためには、記録ヘッド１２におけるノズルピッチを高密度化する必要がある。本例の記録ヘッド１２は、図３及び図４に示したように、インク滴が吐出するノズル５６と、各ノズル５６に対応するインク室５４などからなる複数のインクユニット１３を千鳥でマトリックス状（２次元状）に配置させた構造を有し、これにより見かけ上のノズルピッチの高密度化を達成している。各ノズル５６に対応して設けられ、切削加工などによって形成されたインク室５４は、その平面形状が概略正方形となっており、対角線上の両隅部にノズル５６と供給口５５が設けられている。各インク室５４は供給口５５を介して不図示の共通流路と連通されている。
【００２７】
図５において、インク室５４は流路形成部材４２に設けられている。流路形成部材４２の上面すなわちインク室５４の天面を構成している振動板４４上部には、グラウンドされた共通電極４６が取り付けられ、さらに共通電極４６上面には、１枚の板状の圧電素子４８が設けられている。圧電素子４８の上面にはインク室５４に対応した個別の電極５０、が取り付けられている。
【００２８】
電極５０に駆動電圧を印加することによって圧電素子４８が変形してノズル５６からインクが吐出される。インクが吐出されると、共通流路から供給口５５を通って新しいインクがインク室５４に供給される。
【００２９】
かかる構造を有する多数のインクユニット１３を図４に示す如く、主走査方向に沿う行方向及び主走査方向に対して直交しない一定の角度θを有する斜めの列方向とに沿って一定の配列パターンで格子状に配列させた構造になっている。主走査方向に対してある角度θの方向に沿ってインクユニット１３を一定のピッチｄで複数配列する構造により、主走査方向に並ぶように投影されたノズルのピッチＰはｄ× cosθとなる。
【００３０】
すなわち、主走査方向については、各ノズル５６（５６−１１、５６−１２、５６−１３、５６−１４、５６−１５、５６−１６…）が一定のピッチＰで単一直線状に配列されたものと等価的に取り扱うことができる。このような構成により、主走査方向に並ぶように投影されるノズル列が１インチ当たり2400個（2400ノズル／インチ）におよぶ高密度の単ラインノズル配列を実現することが可能になる。以下、説明の便宜上、ヘッドの長手方向（主走査方向）に沿って各ノズル５６が一定の間隔（ピッチＰ）で直線状に配列されているものとして説明する。
【００３１】
なお、用紙の全幅に対応したノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙の幅方向（用紙の搬送方向と直交する方向）に１ライン（１列のドットによるライン又は複数列のドットから成るライン）を印字するようなノズルの駆動を主走査と定義する。
【００３２】
特に、図４に示すようなマトリクス状に配置されたノズル５６を駆動する場合は、上記（３）のような主走査が好ましい。すなわち、ノズル５６−１１、５６−１２、５６−１３、５６−１４、５６−１５、５６−１６を１つのブロックとし（他にはノズル５６−２１…、５６−２６を１つのブロック、ノズル５６−３１…、５６−３６を１つのブロック、…として）記録紙１６の搬送速度に応じてノズル５６−１１、５６−１２、５６−１３、５６−１４、５６−１５、５６−１６を順次駆動することで記録紙１６の幅方向に１ラインを印字する。
【００３３】
一方、上述したフルラインヘッドと用紙とを相対移動することによって、上述した主走査で形成された１ライン（１列のドットによるライン又は複数列のドットから成るライン）の印字を繰り返し行うことを副走査と定義する。
【００３４】
図２において、記録ヘッド１２の端部には画像形成装置１０のシステムコントローラと電気的接続を行なうための接続基板５２が取り付けられている。接続基板５２には、記録ヘッド１２のすべての電極５０と接続された導電層パターン５８が形成されている。
【００３５】
図６(a) は圧電素子４８の駆動回路図である。電極５０と電源とは、駆動スイッチＳＷ1を介して接続され、他方、共通電極４６は、接地回路６２にてグラウンドされている。また、電極５０と共通電極４６とは、短絡オン・オフ用の短絡スイッチＳＷ2を介して接地回路６０とグラウンドされている。駆動スイッチＳＷ1や短絡スイッチＳＷ2は前述した画像形成装置１０に設けられたシステムコントローラによって制御される。
【００３６】
このような構成の記録ヘッド１２において圧電素子４８に電圧を印加すると、圧電素子４８が変形し、圧電素子４８と振動板４４が図７における下方向に撓み、これによってインク室５４を伸縮させてインクをノズル５６から吐出させる。すなわち、図６(a) において、駆動スイッチＳＷ1をオン、短絡スイッチＳＷ2はオフして電極５０に電圧を印加すると、電極４６、５０間に電位差が生じて圧電素子４８が変形する。圧電素子４８の変形に伴って振動板４４が変形し、インク室５４の体積を変化させてインク室５４を伸縮し、ノズル５６からインクが吐出される（図７参照）。
【００３７】
なお、図示しないが、電極４６、５０間への電圧印加で圧電素子４８と振動板４４を上方向に撓ませ、電圧を開放することでインク室５４を戻し、インクをノズル５６から吐出させてもよい。
【００３８】
また、図６(b) に示したように、駆動スイッチＳＷ1をオフし、短絡スイッチＳＷ2をオンすると、圧電素子４８の両電極が同電位となり、たとえば圧電素子４８外部からの物理的外力による圧電素子４８の変形を防止できる。
【００３９】
つぎに、上記の如く構成された画像形成装置の動作を説明する。
【００４０】
駆動スイッチＳＷ1のオンによって電極５０には電源から電圧が印加される。以下、この駆動電圧を印加したときのインクユニット１３によるインクを吐出する動作を説明する。なお、印加される駆動電圧は画像形成パターンに基づいた駆動波形を有する駆動電圧パルスとして印加される。
【００４１】
画像形成装置１０の電源オフ時や画像形成待機中（すなわち、印字待機中）などにおいては、図６(b) に示したように、駆動スイッチＳＷ1 がオフされ、短絡スイッチＳＷ2 がオンされる。このため、圧電素子４８の電極５０に駆動電圧が印加されず、図５に示したように圧電素子４８は駆動されることなく、ノズル５６からのインクの吐出はなされない。この際にはシステムコントローラによって短絡スイッチＳＷ2が常時オンされ、圧電素子４８の両電極が常時グラウンドされる。これにより、画像を形成しないときには圧電素子４８の剛性を確保できる。
【００４２】
画像形成パターンに基づいて画像形成を行なうため、インク室５４からインクを吐出させる場合には、システムコントローラは駆動スイッチＳＷ1をオンし、短絡スイッチＳＷ2はオフする。これにより電極５０に駆動電圧が印加され、図７の２点鎖線で示したように圧電素子４８が変形し、インク室５４の天面に相当する振動板４４がインク室５４に向けて突出するように撓み、ノズル５６を介してインク室５４からインクが吐出される。吐出されたインクは記録紙１６（図１）の記録面に打滴されて、記録紙１６上に画像が形成される。駆動電圧の印加が終了すると、上記変形した圧電素子４８と振動板４４が変形前の状態に復帰する。なお、この復帰にともないインク室５４にはインクが吐出した分とほぼ同量だけの新しいインクがインク供給路から供給される。
【００４３】
つぎに、画像形成パターンに基づいて、図８に示すようにインクを吐出させるインク室５４ａとインクを吐出すべきでないインク室５４ｂとが隣接する場合について説明する。
【００４４】
この場合には、インクを吐出させる駆動電圧の駆動タイミングに伴い、隣接するインクを吐出すべきでないインク室ごとに短絡スイッチＳＷ2をオンして電極５０と共通電極とをグラウンドする。つまり、システムコントローラはインクを吐出させるインク室５４ａのインクユニットにおける駆動スイッチＳＷ1をオンし、短絡スイッチＳＷ2はオフする。これと同時にシステムコントローラはインク室５４ｂのインクユニットにおける駆動スイッチＳＷ1をオフし、短絡スイッチＳＷ2はオンする。
【００４５】
これにより、インク室５４ａではノズル５６を介してインクが吐出される一方、隣接するインク室５４ｂでは、インク室５４ｂに対応する圧電素子４８の電極５０および共通電極４６の電位差が０に保たれ、圧電素子４８の変形が防止される。したがって、インク室５４ｂに対応する圧電素子４８の本来の剛性を維持できるので、インク室５４ａからインク室５４ｂへのクロストークを除去でき、アクシデンタルドロップの吐出を防止できる。
【００４６】
このようなインク吐出動作が繰り返し行われ、搬送される記録紙１６上に画像形成パターンに基づいた画像が形成される。
【００４７】
以上説明したように本実施の形態の画像形成装置によれば、吐出すべきノズル５６のインク室５４に隣接するインク室のノズルからもインクを吐出させることが可能で、画質の向上が望める。また、インクを吐出すべきでないノズル５６のインク室５４ｂの圧電素子４８の両電極を短絡させて同電位とし、このインク室５４ｂにおける圧電素子４８の変形を抑制できる。従って、記録ヘッド１２のノズル５６は、記録媒体の全幅に対応する長さにわたって複数配列されたフルライン型に配置されている場合、クロストークを防止できると共に剛性アップにより反りが防止できる。
【００４８】
次に、本発明の第２の実施の形態に係る画像形成装置について説明する。なお、図５に示した第１の実施の形態と同一、類似の部材には同様の符号を付し、その詳細説明は省略する。
【００４９】
本実施の形態にかかる記録ヘッド１３０は図９に示すように、記録ヘッド１２の構成に加えて隣接する複数のインク室５４を仕切る隔壁５４ｃの上方に固定電極１３２を備えている。これら固定電極１３２は圧電素子４８に取り付けられるとともに、各固定電極１３２は接地回路１３４と回路接続されている。一方、共通電極４６は接地回路１３４と接続されている。これにより隔壁５４ｃの上方における圧電素子４８の固定電極１３２および共通電極４６の両電極は常時短絡された短絡回路を備える。
【００５０】
上記の如く構成された記録ヘッド１３０の動作について説明すると、駆動電圧が電極５０に印加されてノズル５６からインクが吐出される際に、圧電素子４８の固定電極１３２および共通電極４６両側の電位差が常時０に保たれているので、隣接する複数のインク室５４を仕切る隔壁５４ｃの上方における圧電素子４８部分の変形が防止される。したがって、インクを吐出しないインク室へのクロストークを防止できるほか、隔壁部５４ｃ上部の圧電素子４８の剛性を確保できるので、長尺の記録ヘッド１２の長手方向の剛性をさらに向上できる。
【図面の簡単な説明】
【００５１】
【図１】本発明の実施の形態に係る画像形成装置が適用される画像形成装置を示す側面図
【図２】本発明の実施の形態に係る画像形成装置としての記録ヘッドを示す斜視図
【図３】本発明の実施の形態に係る画像形成装置としての記録ヘッドを示す平面透視図および拡大図
【図４】本発明の実施の形態に係る画像形成装置としての記録ヘッドを示す部分拡大図
【図５】本発明の実施の形態に係る画像形成装置としての記録ヘッドの詳細構造を示すｘ−ｘ断面図
【図６（ａ）】本発明の実施の形態に係る画像形成装置としての記録ヘッドにおける圧電素子の駆動回路図
【図６（ｂ）】電源オフ時、または印字待機中の状態を示す回路図
【図７】本発明の実施の形態に係る画像形成装置としての記録ヘッドの作用を示す分部拡大断面図
【図８】本発明の実施の形態に係る画像形成装置としての記録ヘッドの別の作用を示す分部拡大断面図
【図９】本発明の実施の形態に係る画像形成装置としての記録ヘッドの別の態様を示す分部拡大断面図
【符号の説明】
【００５２】
１０…画像形成装置、１２…記録ヘッド、１６…記録紙、４６…共通電極、４８…圧電素子、５０…電極、５４…インク室、５６…ノズル、６０、６２、１３４…接地回路、１３２…固定電極、ＳＷ1…駆動スイッチ、ＳＷ2…短絡スイッチ
【図１】
2005125769.tif 000003
【図２】
2005125769.tif 000004
【図３】
2005125769.tif 000005
【図４】
2005125769.tif 000006
【図５】
2005125769.tif 000007
【図６（ａ）】
2005125769.tif 000008
【図６（ｂ）】
2005125769.tif 000009
【図７】
2005125769.tif 000010
【図８】
2005125769.tif 000011
【図９】
2005125769.tif 000012